(57)【特許請求の範囲】
【請求項１】
調理容器が載置されるトッププレートと、本体の所定の位置に設置され、前記調理容器の外周部を覆うガードと、誘導磁界を発生させて前記調理容器を誘導加熱する加熱コイルと、温度センサにより調理容器の温度を検知する温度検知手段と、前記加熱コイルに高周波電流を供給するインバータ回路と、前記インバータ回路の出力を制御する制御手段と、前記ガードが設置されていること及び前記ガードが設置されていないことを検知するガード検知手段と、を備え、前記制御手段は、加熱出力が設定された初期設定火力になるようにあるいは前記温度検知手段で検知した温度が設定された初期設定温度になるように加熱出力をする加熱調理において、前記ガードが設置されている場合には、加熱出力を開始し、且つ前記ガードが設置されていないことを検知した場合には、使用者が誤って前記調理容器に触れる恐れがあると判断し、加熱出力を開始せずに停止する誘導加熱調理器。
【請求項２】
前記ガード検知手段には、明るさを検知する照度センサを有し、前記ガード検知手段は、前記ガードが設置されていること及び前記ガードが設置されていないことを前記照度センサが検知した明るさの差により検知するようにした請求項１に記載の誘導加熱調理器。
【請求項３】
使用者に伝える報知手段を備え、前記ガード検知手段により前記ガードが設置されていないことを検知した場合に、前記制御手段は、前記ガードが設置されていないことを前記報知手段により報知するようにした請求項１または２に記載の誘導加熱調理器。
【発明の詳細な説明】
【技術分野】
【０００１】
本発明は、卓上での鍋物調理や焼き物調理などに用いる誘導加熱調理器に関するものである。
【背景技術】
【０００２】
従来、この種の誘導加熱調理器として、誘導加熱調理器本体は、鍋を載置するトッププレートと、そのトッププレートを接着したケースと、鍋を加熱するための加熱コイルと、加熱コイルに高周波電流を供給する加熱手段から構成されている誘導加熱調理器がある。そしてトッププレートを接着したケースに、容易に触れないようし、鍋の横ずれを防止するためのガードが自由に取り付けられるようになっている（例えば、特許文献１参照）。
【０００３】
また鍋を載置するトッププレートの下部に加熱手段と、前記トッププレートに接するように前記調理物を加熱制御する温度検知手段を備えた誘導加熱調理器は、焼き物や揚げ物などの調理メニューごとに専用のキーを設けて、調理開始時に該当のキーを操作すると所定のシーケンスにて加熱制御を行うものもある（例えば、特許文献２参照）。
【先行技術文献】
【特許文献】
【０００４】
【特許文献１】特開平９−３０６６５７号公報
【特許文献２】特開平１１−１０１４４５号公報
【発明の概要】
【発明が解決しようとする課題】
【０００５】
しかしながら、前記従来の構成では、ガードの設置に関係なく所定のシーケンスにて加熱制御を行うため、ガードが設置されていない場合、誤って調理容器に触れてしまうという課題を有していた。
【０００６】
本発明は、前記従来の課題を解決するもので、ガード検知によりガードが設置されてい
るかどうかが判別して、安全性の高い誘導加熱調理器を提供することを目的とする。
【課題を解決するための手段】
【０００７】
前記従来の課題を解決するために、本発明の誘導加熱調理器は、調理容器が載置されるトッププレートと、本体の所定の位置に設置され、前記調理容器の外周を覆うガードと、誘導磁界を発生させて前記調理容器を誘導加熱する加熱コイルと、温度センサにより調理容器の温度を検知する温度検知手段と、前記加熱コイルに高周波電流を供給するインバータ回路と、前記インバータ回路の出力を制御する制御手段と、前記ガードが設置されていること及び前記ガードが設置されていないことを検知するガード検知手段と、を備え、前記制御手段は、加熱出力が設定された初期設定火力になるようにあるいは前記温度検知手段で検知した温度が設定された初期設定温度になるように加熱出力をする加熱調理において、前記ガードが設置されている場合には、加熱出力を開始し、且つ前記ガードが設置されていないことを検知した場合には、使用者が誤って前記調理容器に触れる恐れがあると判断し、加熱出力を開始せずに停止することとしたものである。
【０００８】
これによって、前記ガードが設置されているかどうかが判別できるため、ガードの未設置を防ぐことができ、安全性が向上する。また、ガードが設置されていないと検知した場合に、加熱を開始せずに停止するようにすることで、調理容器の温度が上昇しないため、安全性が向上する。
【発明の効果】
【０００９】
本発明の誘導加熱調理器は、ガードの未設置を防ぐことができ、焼き物調理などの高温で温度制御するような調理コースの場合でも、安全性が向上する。また、ガードが設置されていないと検知した場合に、加熱出力を開始せずに停止するようにすることで、調理容器の温度が上昇しないため、安全性が向上する。
【図面の簡単な説明】
【００１０】
【図１】本発明の実施の形態１における誘導加熱調理器の全体構成図
【図２】本発明の実施の形態１におけるガード検知手段構成図
【発明を実施するための形態】
【００１１】
第１の発明は、調理容器が載置されるトッププレートと、本体の所定の位置に設置され、前記調理容器の外周を覆うガードと、誘導磁界を発生させて前記調理容器を誘導加熱する加熱コイルと、温度センサにより調理容器の温度を検知する温度検知手段と、前記加熱コイルに高周波電流を供給するインバータ回路と、前記インバータ回路の出力を制御する制御手段と、前記ガードが設置されていること及び前記ガードが設置されていないことを検知するガード検知手段と、を備え、前記制御手段は、加熱出力が設定された初期設定火力になるようにあるいは前記温度検知手段で検知した温度が設定された初期設定温度になるように加熱出力をする加熱調理において、前記ガードが設置されている場合には、加熱出力を開始し、且つ前記ガードが設置されていないことを検知した場合には、使用者が誤って前記調理容器に触れる恐れがあると判断し、加熱出力を開始せずに停止する誘導加熱調理器とすることによって、ガード未設置により誤って鍋に触れるのを防ぐことができ、安全性が向上する。また、ガードが設置されていないと検知した場合に、加熱出力を開始せずに停止するようにすることで、調理容器の温度が上昇しないため、安全性が向上する。
【００１２】
第２の発明は、特に第１の発明の誘導加熱調理器において、前記ガード検知手段には、明るさを検知する照度センサを有し、前記ガード検知手段は、前記ガードが設置されていること及び前記ガードが設置されていないことを前記照度センサが検知した明るさの差により検知することができる。
【００１３】
第３の発明は、特に第１または第２の発明の誘導加熱調理器において、使用者に伝える報知手段を備え、前記ガード検知手段によりガードが設置されていないことを検知した場合に、前記制御手段は、前記ガードが設置されていないことを前記報知手段により報知することで、使用者にガードが無く危険であることを聴覚的に伝えるため安全性が向上する。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における誘導加熱調理器の構成を示すものである。図１に示すように、本実施の形態における誘導加熱調理器は、調理物を入れる専用のホットプレート鍋１と、ホットプレート鍋１を載置するトッププレート２と、ホットプレート鍋１の外周を覆い使用者がホットプレート鍋１に触れないよう保護する樹脂でできたガード３と、本体にガード３が設置されていることを検知するガード検知手段４と、ホットプレート鍋１を加熱するために誘導磁界を発生させる加熱コイル５と、加熱コイル５に高周波電流を供給するインバータ６と、温度センサ７からの信号により調理物の温度を検知する温度検知手段８と、インバータ６を制御するマイクロコントローラ等から構成される制御部９とガード検知手段４によりガード３が無いために加熱を停止したことを表示する表示手段１０と、ガード検知手段４によりガード３が無いために加熱を停止したことを音声にて伝える報知手段１１から構成する。またガード検知手段４は図２のように、加熱調理器の本体側にスイッチ１２を設けている。樹脂製のガードはリング状である必要はなく、一部切りかきを設けていてもよい。
【００１６】
以上のように構成された誘導加熱調理器について、以下その動作、作用を説明する。
【００１７】
ガード３が設置されていると、図２のようにガード３がスイッチ１２を押し込むため、ガード３が設置されていることを検知することができる。ガード３が設置されていない場合は、図２のようにスイッチ１２が押し込まれないため、ガード３が設置されていないことが検知できる。ガード３が設置されていれば、そのまま加熱を継続する。ガード３が設置されていなければ、使用者が誤って触れる恐れがあると判断し、制御部９はインバータ６を制御し加熱を停止する。ガード３が設置されていないで加熱を止めた場合には、鍋に誤って接触してしまう恐れがあり加熱を停止したことを液晶やＬＥＤ等の表示手段１０とブザー等の報知手段１１により、視覚的また聴覚的に使用者に伝える。そのため使用者の安全性が向上する。
【００１８】
ガード検知手段４は図２ではスイッチ１２でガード３の設置及び未設置を検知する構成としたが、照度センサでガード検知手段４を構成してもよい。ガード３が設置された場合、ガード３により影となり暗いとセンサが検知する。ガード３が設置されていなければ、影ができないため明るいとセンサが検知する。照度センサによる明るさの差でガード３の設置を同様に検知することができる。
【００１９】
またガード検知手段４は、光センサで構成してもよい。ガード３下面に反射板を設置しておき、製品本体側から発光ダイオードにより赤外線を照射し、ガード３が設置されている場合は、反射板に反射した赤外線を製品本体側のフォトトランジスタにて検知できる。ガード３が設置されていない場合は、ガード３による反射がないために製品本体側にて検知できない。光センサによる反射の有無によってガード３の設置を同様に検知することができる。
【００２０】
またガード検知手段４は、ホールＩＣやサーチコイル等を利用した磁気センサでガード検知手段４を構成してもよい。四角形の形をしたガード３の四隅に対角上に磁石２つ以上設置しておき、ガード３が設置されていれば、ガード３に設置した磁石からの磁束を検知できるため、設置されていることを検知できる。ガード３が設置されていなければ、磁束を検知できないため、ガード３が設置されていないことを検知できる。対角上に磁石を２つ以上設置することで、ガードが１８０度回転させられた状況で設置されてもガードを検知することができる。ガード３の設置を同様に検知することができる。
【００２１】
（実施の形態２）
図１と同様の誘導加熱調理器において、ガード３が設置されていれば、そのまま加熱を継続する。ガード３が設置されていなければ、使用者が誤って触れる恐れがあると判断し、初期設定火力よりも低い火力に変更するように、制御部９はインバータ６を制御する。初期設定火力のまま加熱を継続して鍋１の温度が高温になるのを防ぐことができる。ガード３が設置されていないために設定火力を下げたことを液晶やＬＥＤ等の表示手段１０とブザー等の報知手段１１により、視覚的また聴覚的に使用者に伝える。そのため使用者の安全性が向上する。
【００２２】
（実施の形態３）
図１と同様の誘導加熱調理器において、使用者によって初期設定温度が設定される。温度一定制御を行う調理方式では設定温度に対して温度が一定になるようにインバータ６を制御する。ガード３が設置されていれば、そのまま加熱を継続する。ガード３が設置されていなければ、使用者が誤って触れる恐れがあると判断し、初期設定温度から設定温度を下げる。そうすることで、鍋１の温度が高温になるのを防ぐことができる。ガード３が設置されていないために設定温度を下げたことを液晶やＬＥＤ等の表示手段１０とブザー等の報知手段１１により、視覚的また聴覚的に使用者に伝える。そのため使用者の安全性が向上する。
【００２３】
（実施の形態４）
図１と同様の誘導加熱調理器において、使用者によって初期設定温度が設定される。温度一定制御を行う調理方式では設定温度に対して温度が一定になるようにインバータ６を制御する。ガード３が設置されていれば、そのまま加熱を継続する。ガード３が設置されていなければ、使用者が誤って触れる恐れがあると判断し、鍋１が高温になる温度一定制御から、火力一定制御に制御方式を変更する。鍋１の温度が高温になるのを防ぐことができる。ガード３が設置されていないために制御方式を変更したことを液晶やＬＥＤ等の表示手段１０とブザー等の報知手段１１により、視覚的また聴覚的に使用者に伝える。そのため使用者の安全性が向上する。
【産業上の利用可能性】
【００２４】
以上のように、本発明にかかわる誘導加熱調理器は、ガードの設置を検知することができ、ガード未設置時はより安全な制御を行い、かつ使用者に伝えるようにすることによって、安全性の向上を図ることができるため、家庭用あるいは業務用の誘導加熱調理器にも利用できる。
【符号の説明】
【００２５】
１  ホットプレート鍋（調理容器）
２  トッププレート
３  ガード
４  ガード検知手段
５  加熱コイル
６  インバータ
７  温度センサ
８  温度検知手段
９  制御部（制御手段）
１１  報知手段
【図１】
0005381443.tif 000002
【図２】
0005381443.tif 000003